(57)【要約】【課題】  観察像を見難くすることなく、撮影に必要な情報を観察像と共に的確に表示できる眼底カメラを提供する。【解決手段】  被検眼の眼底を撮影する撮影光学系を持つ眼底カメラにおいて、眼底を撮像可能な観察光学系と、前記観察光学系により撮像された眼底観察像を表示する表示手段と、該表示手段に表示された観察像に必要な情報項目を文字又はグラフィックにて合成表示する合成表示手段と、眼底観察又は撮影に必要な条件を設定するための操作部材とを備え、前記合成表示手段は、眼底像に合成する表示項目の少なくとも一部については、前記操作部材が操作された時にその設定情報を一定時間だけ表示するように制御する。【選択図】      図５
2006116091.tif 000002
【特許請求の範囲】
【請求項１】
被検眼の眼底を撮影する撮影光学系を持つ眼底カメラにおいて、眼底を撮像可能な観察光学系と、前記観察光学系により撮像された眼底観察像を表示する表示手段と、該表示手段に表示された観察像に必要な情報項目を文字又はグラフィックにて合成表示する合成表示手段と、眼底観察又は撮影に必要な条件を設定するための操作部材とを備え、前記合成表示手段は、眼底像に合成する表示項目の少なくとも一部については、前記操作部材が操作された時にその設定情報を一定時間だけ表示するように制御することを特徴とする眼底カメラ。
【請求項２】
請求項１の眼底カメラにおいて、前記操作部材は眼底観察又は撮影に必要な条件を設定するために複数個設けられており、前記合成表示手段は各操作部材が操作されたときに一定時間だけ表示する各設定情報を同一の領域に表示することを特徴とする眼底カメラ。
【請求項３】
請求項１又は２の眼底カメラは、前記撮影光学系に配置され光軸方向に移動可能なフォーカスレンズと、眼底観察用の光量調節可能な眼底観察照明光源を備え、前記操作部材は前記フォーカスレンズを移動するための操作部材及び前記眼底観察照明光源の光量を調節するための操作部材の少なくとも一つを含むことを特徴とする眼底カメラ。
【請求項４】
請求項１〜３の何れかの眼底カメラにおいて、前記観察光学系は被検眼の前眼部及び眼底を撮像可能な観察光学系であり、前記表示手段は前眼部観察像と眼底観察像とを切換え表示可能な表示手段であり、前記合成表示手段は、前記表示手段にて切換え表示される前眼部観察像と眼底観察像の両画面に共通の表示項目を常時表示すると共に、眼底観察画面ではさらに専用の表示項目を表示し、眼底観察画面での専用の表示項目の少なくとも一部については、前記操作部材が操作された時にその設定情報を一定時間だけ表示するように制御することを特徴とする眼底カメラ。
【発明の詳細な説明】
【技術分野】
【０００１】
本発明は、被検眼の眼底を撮像する眼底カメラに関する。
【背景技術】
【０００２】
眼底カメラは、眼底観察照明により照明された眼底像を表示するモニタを備え、モニタの眼底像を観察してアライメント調整やフォーカス合わせを行った後、撮影照明光源を発光させて撮影を行う。眼底撮影においては、通常、観察・撮影条件の設定情報や被検者情報等を検者が知る必要があるため、モニタの観察像にこれらの情報を合成して表示している（例えば、特許文献１参照）。また、初めにモニタに前眼部観察像を表示させた状態でアライメントを行い、前眼部でのアライメントが完了した後に、モニタの表示を眼底像に切換える眼底カメラも知られている（例えば、特許文献２参照）。
【特許文献１】特開２００３−２３５８１０号公報
【特許文献２】特開２００１−３４６７６４号公報
【発明の開示】
【発明が解決しようとする課題】
【０００３】
しかし、モニタの限られた画面スペースの中で、観察像に合成（重畳）して表示する情報が多くなってくると、観察像に重なる部分も多くなり、観察像自体が見え難くなる問題がある。スイッチ操作により、合成表示する情報を全て表示した状態と非表示にした状態とを切換えることは可能であるが、表示／非表示のための操作が手間である。
【０００４】
本発明は、上記問題点を鑑み、観察像を見難くすることなく、撮影に必要な情報を観察像と共に的確に表示できる眼底カメラを提供することを技術課題とする。
【課題を解決するための手段】
【０００５】
（１）  被検眼の眼底を撮影する撮影光学系を持つ眼底カメラにおいて、眼底を撮像可能な観察光学系と、前記観察光学系により撮像された眼底観察像を表示する表示手段と、該表示手段に表示された観察像に必要な情報項目を文字又はグラフィックにて合成表示する合成表示手段と、眼底観察又は撮影に必要な条件を設定するための操作部材とを備え、前記合成表示手段は、眼底像に合成する表示項目の少なくとも一部については、前記操作部材が操作された時にその設定情報を一定時間だけ表示するように制御することを特徴とする。
（２）  （１）の眼底カメラにおいて、前記操作部材は眼底観察又は撮影に必要な条件を設定するために複数個設けられており、前記合成表示手段は各操作部材が操作されたときに一定時間だけ表示する各設定情報を同一の領域に表示することを特徴とする。
（３）  （１）又は（２）の眼底カメラは、前記撮影光学系に配置され光軸方向に移動可能なフォーカスレンズと、眼底観察用の光量調節可能な眼底観察照明光源を備え、前記操作部材は前記フォーカスレンズを移動するための操作部材及び前記眼底観察照明光源の光量を調節するための操作部材の少なくとも一つを含むことを特徴とする。
（４）  （１）〜（３）の何れかの眼底カメラにおいて、前記観察光学系は被検眼の前眼部及び眼底を撮像可能な観察光学系であり、前記表示手段は前眼部観察像と眼底観察像とを切換え表示可能な表示手段であり、前記合成表示手段は、前記表示手段にて切換え表示される前眼部観察像と眼底観察像の両画面に共通の表示項目を常時表示すると共に、眼底観察画面ではさらに専用の表示項目を表示し、眼底観察画面での専用の表示項目の少なくとも一部については、前記操作部材が操作された時にその設定情報を一定時間だけ表示するように制御することを特徴とする。
【発明の効果】
【０００６】
本発明によれば、観察像を見難くすることなく、撮影に必要な情報を観察像と共に的確に表示できる。また、同時に表示することが無い複数の設定情報を、画面上の同一領域に表示することにより、画面の省スペース化が図れると共にその設定情報を把握しやくなる。
【発明を実施するための最良の形態】
【０００７】
以下、本発明の実施形態を図面に基づいて説明する。図１は本発明に係る無散瞳型の眼底カメラの構成図である。
【０００８】
眼底カメラは、基台１と、基台１に対してジョイスティック４の操作により左右方向（Ｘ方向）及び前後方向（Ｚ方向）に移動可能な移動台２と、移動台２に対して左右・上下・前後方向（Ｚ方向）にそれぞれ三次元移動可能に設けられた撮影部３と、被検者の顔を支持するために基台１に固設された顔支持ユニット５を備える。６は撮影部３を上下方向に移動するＹ駆動部であり、７は撮影部３を左右前後に移動するＸＺ駆動部である。ＸＺ駆動部７は、Ｙテーブルの上にＺ方向に移動可能なＺテーブルを配置し、Ｚテーブルの上にＸ方向に移動可能なＸテーブルを配置し、Ｘテーブルの上に撮影部３を配置し、Ｚテーブル及びＸテーブルをそれぞれモータ駆動することにより撮影部３をＸＹ方向に移動する。Ｙ駆動部６はＹテーブルをモータにより上下駆動することにより、撮影部３をＹ方向に移動する。この種の三次元駆動機構は周知の機構とすることができる。なお、撮影部３はジョイスティック４の回転操作によりＹ駆動部６が作動し、上下移動する。撮影部３の検者側には観察像や撮影像を表示するモニタ８が設けられている。
【０００９】
図２は本発明に係る無散瞳型の眼底カメラの光学図である。照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１０】
眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光及び可視光の一部を反射し、可視光の大部分を透過する特性を有するダイクロイックミラー３４を備え、撮影光学系と眼底観察光学系は対物レンズ２５と撮影絞り３１から結像レンズ３３までの光学系を共用する。撮影絞り３１は対物レンズ２５に関して被検眼Ｅの瞳孔と略共役な位置に配置されている。フォーカシングレンズ３２は、モータを備える移動機構３９により光軸方向に移動される。ダイクロイックミラー３４の透過方向には、可視域に感度を有する撮影用のカラーＣＣＤカメラ３５が配置されている。ダイクロイックミラー３４の反射方向の光路には、赤外反射、可視光透過のダイクロイックミラー３７、リレーレンズ３６、赤外域に感度を有する観察用ＣＣＤカメラ３８が配置されている。
【００１１】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、観察用照明の波長光及びフォーカス指標投影光学系４０等の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。
【００１２】
フォーカス指標投影光学系４０は、赤外光源４１、スリット指標板４２、このスリット指標板４２に取り付けられた２つの偏角プリズム４３、照明光学系１０の光路に斜設されたハーフミラー４４を備える。光源４１、スリット指標板４２は、フォーカシングレンズ３２と連動して移動機構３９により光軸方向に移動される。
【００１３】
フォーカス指標投影光学系４０のスリット指標板４２の光束は、偏角プリズム４３を介してハーフミラー４４により反射された後、リレーレンズ２１、孔あきミラー２２、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
【００１４】
アライメント指標投影光学系５０は、対物レンズ２５の光軸を中心に左右対称に配置された２組の第１指標投影光学系と、この第１指標投影光学系より狭い角度に配置された光軸を持ち光軸Ｌ１が通る垂直平面を挟んで左右対称に配置された２組の第２指標投影光学系を備える。２組の第１指標投影光学系は、中心波長９４０ｎｍの赤外光を発する光源５１、コリメーティングレンズ５２をそれぞれ持ち、略平行光束の光により被検眼に無限遠の視標を投影する。一方、２組の第２指標投影光学系は、中心波長９４０ｎｍの赤外光を発する光源５２を持ち、発散光束により被検眼に有限遠の視標を投影する。
【００１５】
また、孔あきミラー２２の穴周辺には、ワーキングドットを形成するための２つの赤外光源５５（中心波長８８０ｎｍ）が光軸Ｌ１を中心に左右対称に配置されている。光源５５は、被検眼Ｅと対物レンズ２５との作動距離が適切になったとき、角膜の曲率半径の１／２となる距離が共役位置となるように配置されている。
【００１６】
前眼部観察光学系６０は、ダイクロイックミラー２４の反射側に、フィールドレンズ６１、ミラー６２、絞り６３、リレーレンズ６４、赤外域の感度を持つＣＣＤカメラ６５を備える。また、ＣＣＤカメラ６５はアライメント指標の検出手段を兼ね、中心波長９４０ｎｍの赤外光を発する前眼部照明光源５８により照明された前眼部とアライメント指標が撮像される。
【００１７】
固視標呈示光学系７０は、赤色の光源７４、開口穴が形成された８個の固視標７１を持つ視標板７２、リレーレンズ７５を備え、ダイクロイックミラー３４を介してダイクロイックミラー３４から対物レンズ２５までの観察光学系３０の光路を共用する。固視標７１は、右眼の後極部付近を撮影中心に導く開口穴を持つもの、左眼の後極部付近を撮影中心に導く開口穴を持つもの、周辺部を撮影するように視線を導く周辺固視用の開口穴を持つもので構成されており、モータ７３により各固視標７１が選択的に光源７４の前に配置される。
【００１８】
上記の光学系において、前眼部照明光源５８により照明された前眼部は、対物レンズ２５、ダイクロイックミラー２４及びフィールドレンズ６１からリレーレンズ６４の光学系を介してＣＣＤカメラ６５に受光される。また、観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検眼Ｅの瞳孔付近で一旦収束した後、拡散して被検眼眼底部を照明する。撮影用照明光源１４を発した光束は、コンデンサレンズ１５を経た後、観察用照光束と同様な光路を経て被検眼眼底を照明する。
【００１９】
観察照明光で照明された眼底からの反射光は、対物レンズ２５、ダイクロイックミラー２４、孔あきミラー２２の開口部、撮影絞り３１、フォーカシングレンズ３２、結像レンズ３３、ダイクロイックミラー３４、ダイクロイックミラー３７、リレーレンズ３６を介してＣＣＤカメラ３８に結像する。
【００２０】
また、撮影時には、撮影用照明光で照明された眼底からの反射光は、対物レンズ２５、孔あきミラー２２、撮影絞り３１、フォーカシングレンズ３２、ダイクロイックミラー３４を経て、撮影用のＣＣＤカメラ３５に結像する。なお、ＣＣＤカメラ３５が観察用のカメラを兼用する構成とすることも可能である。
【００２１】
ＣＣＤカメラ６５、３８、３５の出力は画像処理部８０に接続されている。画像処理部８０は、ＣＣＤカメラ６５に撮像された前眼部の画像からアライメント指標を検出処理し、ＣＣＤカメラ３８に撮像された眼底画像からフォーカス指標を検出処理する。また、画像処理部８０は文字合成回路８２を介してモニタ８と接続されている。画像処理部８０から出力される画像信号と、制御部８１から出力される文字や図形等で形成される表示情報とが文字合成回路８２により合成された（重ねられた）状態でモニタ８に表示される。これにより、撮影時のアライメント画面（前眼部観察画面もしくは眼底観察画面）には、被検眼の観察像を表示されると共に、撮影に必要な条件やアライメントに必要な情報が合成表示される。（なお、眼底撮影画像の表示画面においても、被検眼の撮影像が表示されると共に、撮影条件などが合成表示される。）
制御部８１には、観察又は撮影に必要な条件を設定するための操作部材として、各種スイッチを備えるスイッチ部８４、眼底撮影に用いる撮影光源１４のフラッシュ光量を調節する撮影光量調節スイッチ８５、眼底観察に用いる照明光源１１の光量を調節する観察光量調節スイッチ８６、眼底のフォーカスを検者の手動操作により調整するための回転操作式のフォーカスノブ８７が接続されている。また、制御部８１には、画像処理部８０、移動機構３９、挿脱機構６６、撮影画像を記憶する画像メモリ８３、各光源等が接続されている。制御部８１は、眼底カメラ全体の装置制御を行う役割を持ち、その一つとしてモニタ８の表示画面を制御する役割を持っている。
【００２２】
フォーカスノブ８７は、検者からの回転操作を図示なきポテンショメータ等により電気的に検出する。制御部８１は、フォーカスノブ８７から入力された検出信号に基づいて、移動機構３９を駆動させてフォーカシングレンズ３２を光軸方向に移動させる（なお、光源４１及びスリット指標板４２も連動して移動する）。これにより、検者は、眼底観察画面に表示されるフォーカス指標像を元に、手動操作にて眼底のフォーカス合わせを行うことができる。
【００２３】
また、スイッチ部８４の詳細な構成について説明する。８４ａは、検者がジョイスティック４を操作して撮影部３を被検眼に対してアライメントする手動アライメントモードと、画像処理部８０にて検出処理されたアライメント状態に基いてＸＺ駆動部７及びＹ駆動部６を駆動制御してアライメント完了するように撮影部３を移動する自動アライメントモードと、を切換えるアライメントモード切換スイッチである。８４ｂは表示モニタ８の表示を前眼部像と眼底像との間で切換える表示切換えスイッチである。８４ｃは眼底とのフォーカス合わせを自動的に行うオートフォーカス機能を自動的に動作させるかを選択する選択スイッチである。８４ｄは、固視標の位置を選択する固視標選択スイッチであり、スイッチ８４ｄからのスイッチ信号の入力があると、制御部８１はモータ７３を駆動して、固視標の位置を設定する。８４ｅはメニュー画面を呼び出してさまざまな設定を行うための十字キーである。
【００２４】
上記のような構成を備える眼底カメラにおいて、アライメント画面（前眼部観察画面及び眼底観察画面）の表示を中心に説明する。図３は、前眼部像を表示する時の表示画面を示す図である。図４及び図５（ａ）、（ｂ）は、眼底像を表示する時の表示画面を示す図である。
【００２５】
図３において、Ａは前眼部観察像であり、Ｍはアライメント指標投影光学５０によるアライメント指標像であり、これらはＣＣＤカメラ６５で撮像された画像信号に基づいて表示されたものである。
【００２６】
また、制御部８１から出力される表示情報に基づいてさまざま表示項目１０１〜１１２が合成表示される。以下に、表示項目１０１〜１１２について説明する。１０１は被検者アイコン及び被検者識別用ＩＤであり、１０２は画像のサイズ及び画像圧縮方式の種類を表示したものある。１０３は自動アライメントモードに設定した時に表示されるＡＡＬアイコンであり、１０４はオートフォーカスモード設定時に表示されるＡＦアイコンである。１０５は画像メモリ８３の残記憶容量を表示したものである。１０６はアライメント画面か撮影画像表示画面かを判別するためのモード名を表示したものである。１０７は画像処理部８０にて検出処理された作動距離方向のアライメント状態を表現するインジゲータ、１０８は撮影眼が左右どちらかを示す左右眼アイコン、１０９は強度近視や強度乱視の被検者の場合に撮影光路に補正レンズを挿入した時のそのレンズ度数を示すディオプターアイコン、１１０はインジケータにより撮影光源１４の光量を１５段階に分けて表現する撮影光量グラフィックである（黒塗り部分が現在の光量をしめす）。これら表示項目１０１〜１１０の必要な情報項目は、観察像をなるべく妨げないように、画面の上段、下段、左右の端に表示されている。なお、１１１は前眼部でのアライメント用のレチクルであり、検者は、アライメント指標像Ｍがレチクル１１１と合致するようにアライメントを行う。１１２は被検眼の瞳孔径を確認するためのマークである。
【００２７】
検者は、図３に示すような前眼部観察画面に基づいて、撮影条件の確認や変更を行うと共に、アライメントに関する情報を基に被検眼に対してアライメントを行う。そして、アライメントが完了したら、表示切換スイッチ８４ｂを押して眼底観察画面（図４参照）に移行する。なお、自動アライメントモードに設定されている場合には、制御部８１の駆動制御により被検眼に対して撮影部３がアライメント完了するように移動する。自動アライメントによるアライメント完了後、自動的に眼底観察像に切り換わるような構成も考えられる。
【００２８】
図４は、眼底観察像に切換えられたときの画面例であり、眼底像が表示される眼底像表示領域Ｇと、ハッチングにより示した眼底像が表示されない非表示領域Ｈを持つ。図４において、Ｆは眼底観察像であり、Ｗは光源５５によるワーキングドット像であり、Ｓ１及びＳ２はフォーカス指標投影光学系４０によるフォーカス指標像である。これらはＣＣＤカメラ３８で撮像された画像信号に基づいて表示されたものである。
【００２９】
また、眼底観察画面においても、さまざまな表示項目が合成表示される。これらのうち、表示項目１０１〜１１０までは、図３に示した前眼部観察画面と共通の表示項目となっている。表示項目１２０〜１２１と、以下で説明する図５（ａ）の表示項目１２２、図５（ｂ）の表示項目１２３までは、眼底観察画面専用の表示項目である。画面左下の表示項目１２０は固視標選択スイッチ８４ｄによって選択される内部固視灯の位置を示す固視用グラフィックであり、眼底像のグラフィック１２０ａにより左右眼いずれかを表現する共に、グラフィック１２０ａ中の黒点１２０ｂにより現在選択されている固視標の位置を表現する。なお、１２１は眼底でのアライメント用のレチクルであり、検者は、ワーキングドット像Ｗがレチクル１２１と合致するようにアライメントを行う。
【００３０】
この眼底観察画面において、操作部材としての観察光量調節スイッチ８６を操作したときは、図５（ａ）に示すように、画面下の中央にその設定情報であるグラフィック１２２が眼底像表示領域Ｇ内に合成表示される。グラフィック１２２は、観察光量調節スイッチ８６により調節される照明光源１１の光量を表現する照明光量グラフィックである。グラフィック１２２は、インジケータにより照明光源１１の光量を７段階に分けて表現する構成となっている（白塗りされた部分が現在の光量を表す）。また、グラフィック１２２は、観察光量調節スイッチ８６からの操作があった時に一定時間（例えば、２秒に設定されている）だけ表示されるようになっており、調節スイッチ８６の操作がないと画面上に表示されないようになっている。すなわち、検者による調節スイッチ８６からのスイッチ信号の入力があると、制御部８１は、照明光源１１の光量を調節すると共に、グラフィック１２２をモニタ８に表示させる。この時、制御部８１は、調節スイッチ８６からのスイッチ信号に応じて、光源１１の光量を変化させると共に、グラフィック１２２のインジケータの増減表示を制御する。このようにして光量調節が完了し、調節スイッチ８６からの信号の入力が断たれると、制御部８１はタイマー計測を行い、所定時間（例えば、２秒間）の間スイッチ８６からの信号の入力がなければ、グラフィック１２２の表示をモニタ８上から消去する。なお、前眼部観察画面において、調節スイッチ８６の操作があっても、光源１１の光量調節は行われず、グラフィック１２２が表示されないようになている。
【００３１】
また、操作部材としてのフォーカスノブ８７を操作したときには、図５（ｂ）に示すように、グラフィック１２２と同じ領域である画面下の中央に、その設定情報であるグラフィック１２３が眼底像表示領域Ｇ内に合成表示される。グラフィック１２３は、フォーカスノブ８７により調整されるフォーカシングレンズ３２の移動位置を表現するフォーカス用グラフィックである。グラフィック１２３のベース画像１２３ａは、中央部が０ディオプター、左方向がマイナス方向、右方向がプラス方向を示し、スライド表示１２３ｂの位置により現在の屈折度数を表現する。グラフィック１２３の表示により、検者は、フォーカスノブ８７を使ったマニュアルフォーカスの操作が容易となる。また、フォーカス用グラフィック１２３は、フォーカスノブ８７からの操作があった時に一定時間だけ表示されるようになっており、フォーカスノブ８７の操作がないと画面上に表示されないようになっている。また、グラフィック１２３は、先のグラフィック１２２と同じ領域に表示されるため、検者はその設定情報の位置を把握しやすい。なお、グラフィック１２３の表示制御の方法については、前記グラフィック１２２の場合と同様の技術思想を適用できるため、詳しい記載を省略する。前眼部観察画面において、フォーカスノブ８７の操作があっても、フォーカスの調整は行われず、グラフィック１２３が表示されないようになっている。
【００３２】
以上のような表示制御によれば、モニタ８の限られた表示スペースを有効に活用し、撮影に必要な情報を観察像と共に的確に表示することが可能となる。すなわち、観察光量調節スイッチ８６を操作したときにその設定情報のグラフィック１２２が表示され、また、フォーカスノブ８７を操作したときにその設定情報のグラフィック１２３が表示されるので、検者は必要な情報を認知できると共に、必要時以外はこれらのグラフィック１２２及び１２３が非表示となるので、眼底観察像の妨げにならず、その観察がし易くなる。
【００３３】
なお、本実施例のように眼底カメラの本体にモニタを組み込むような場合、パソコン等で用いられるモニタと比較すると、モニタの表示画面のサイズは限定される。また、モニタの表示画面のサイズを大きくしようとすると、コストがかかる。このような限られた表示サイズにおいて、眼底像の観察を行う場合、最優先事項として眼底像を観察するべく眼底像を出来る限り大きくすることが望ましい。そのため、眼底像以外の表示情報である撮影条件やアライメント情報などを表示できるスペースは少なく、表示できる情報も必要最小限に限られてきてしまう。また、眼底像観察の邪魔にならないように文字やグラフィックを小さくしたとしても、視認性が損なわれる。
【００３４】
そこで、グラフィック１２２や１２３のような表示制御を行うことにより、眼底観察像が見やすく、かつ、必須の情報が常時画面上に表示するような表示形式をとった場合において、その表示スペースを有効に活用できる。
【００３５】
また、前眼部観察画面において、調節スイッチ８６やフォーカスノブ８７の操作があっても、グラフィック１２２や１２３が表示されないため、検者にとって光源１１の光量やフォーカスが調整されないことが容易に分かる。
【００３６】
なお、上記実施例において、照明光量グラフィック１２２とフォーカス用グラフィック１２３は、モニタ８の表示画面上の同じ場所に表示されるようになっている（モニタ８の中央下端部分）。すなわち、調節スイッチ８６の操作があるとグラフィック１２２が表示され、フォーカスノブ８７の操作があるとグラフィック１２３が表示される。このような表示制御により、グラフィック１２２及び１２３の両方がモニタ８の下端に表示させることができるので、画面中央付近の眼底像をカケがない状態で観察できる。また、モニタ８の中央部に表示されるため、検者操作により現れるグラフィック１２２及び１２３を、容易に視認することができ、操作性も向上する。
【図面の簡単な説明】
【００３７】
【図１】本発明に係る無散瞳型の眼底カメラの構成図である。
【図２】本発明に係る無散瞳型の眼底カメラの光学図である。
【図３】前眼部像を表示する時の表示画面を示す図である。
【図４】眼底観察像に切換えられたときの画面例である。
【図５】眼底観察画面において、操作部材の操作があった時にグラフィックが一定時間表示されるのを説明する図である。
【符号の説明】
【００３８】
８  表示モニタ
１１  照明光源
３２  フォーカシングレンズ
３８  眼底観察用ＣＣＤカメラ
８０  画像処理部
８１  制御部
８２  文字合成回路
８６  観察光量調節スイッチ
８７  フォーカスノブ
１０１〜１１０  表示項目
１２０  固視用グラフィック
１２２  照明光量グラフィック
１２３  フォーカス用グラフィック
【図１】
2006116091.tif 000003
【図２】
2006116091.tif 000004
【図３】
2006116091.tif 000005
【図４】
2006116091.tif 000006
【図５】
2006116091.tif 000007